(57)【要約】【課題】作業者が装着する吊り下げ部に引っ掛け易い足場ハンマーを提供する。【解決手段】柄２の先端部に頭部３が設けられ、頭部３に設けられた引っ掛け部４を作業者が装着する吊り下げ部に引っ掛けることで、吊り下げ部に吊り下げることができる足場ハンマー１であって、引っ掛け部４は、柄２の延伸方向において頭部３の柄２と反対側の位置に、頭部３の殴打面３４、３５に直交する第１方向に沿って設けられ、柄２の延伸方向に沿って頭部３から突出して、第２方向に貫通する開口４Ａを頭部３とともに形成し、延伸方向から視て第２方向における頭部３の中心よりも外側に設置されている。【選択図】図１
2020151844.tif 000002
【特許請求の範囲】
【請求項１】
柄の先端部に頭部が設けられ、前記頭部に設けられた引っ掛け部を作業者が装着する吊り下げ部に引っ掛けることで、前記吊り下げ部に吊り下げることができる足場ハンマーであって、
前記引っ掛け部は、
前記柄の延伸方向において前記頭部の前記柄と反対側の位置に、前記頭部の殴打面に直交する第１方向に沿って設けられ、前記柄の延伸方向に沿って前記頭部から突出して、前記頭部の周方向に貫通する開口を前記頭部とともに形成し、前記延伸方向から視て、前記第１方向および前記延伸方向に直交する第２方向における前記頭部の中心よりも外側に設置されている、
足場ハンマー。
【請求項２】
前記頭部における、前記引っ掛け部が設けられた側に形成された切欠き部、をさらに備え、
前記切欠き部は、前記延伸方向において前記開口と重なる位置から、前記第２方向に沿って前記外側へ延びて形成され、前記頭部の側面まで達している、
請求項１に記載の足場ハンマー。
【請求項３】
前記頭部は、前記柄が連結された第１面と、前記延伸方向における前記第１面の反対側の第２面とを有し、
前記開口は、前記第２方向に貫通し、
前記引っ掛け部は、前記第２面から突出し、前記第２方向における前記第２面の中心よりも、前記第２面と前記第２方向に隣接する第３面側に設置されている、
請求項２に記載の足場ハンマー。
【請求項４】
前記頭部は、前記第１方向に延びる直方体形状であり、
前記切欠き部は、前記第２面と前記第３面との角部に形成されている、
請求項３に記載の足場ハンマー。
【請求項５】
前記引っ掛け部が前記延伸方向に沿って前記柄側へ移動することを防止する移動防止部、
をさらに備える、請求項１から請求項４のいずれかに記載の足場ハンマー。
【請求項６】
前記引っ掛け部は、Ｕ字型に曲げた金属棒であって、
前記頭部は、前記延伸方向に沿って設けられた２つの貫通孔を有し、
前記２つの貫通孔それぞれは、前記金属棒の両端部それぞれが挿入自在であり、
前記引っ掛け部は、前記延伸方向において前記柄と反対側から前記貫通孔へ前記両端部を挿入して、前記頭部に設けられ、
前記移動防止部は、
前記延伸方向において前記開口側に突出する前記金属棒の一部を潰して形成された、前記貫通孔の入口周囲に当接する突出部である、
請求項５に記載の足場ハンマー。
【請求項７】
前記金属棒の前記両端部は、前記頭部よりも前記柄側へ突出し、
前記引っ掛け部は、
前記両端部にナットが締結され、前記突出部と前記ナットとで、前記頭部を挟み込んで固定されている、
請求項６に記載の足場ハンマー。
【発明の詳細な説明】
【技術分野】
【０００１】
本発明は、仮設足場用の足場材を連結する連結部材を殴打する足場ハンマーに関する。
【０００２】
建築現場などでは、支柱の間に架け渡した横架材に足場板を載せることで、仮設足場が構築される。この仮設足場を構築する際、作業者は、支柱および横架材などの各足場材を連結する連結部材を、専用のハンマーによって殴打して、各足場材を互いに強固に固定する。作業者は、このハンマーを腰ベルトに取り付けられたホルダに保持して持ち歩き、作業時にホルダからハンマーを取り出す。仮設足場の構築は高所での作業となることもあるため、ホルダからハンマーが抜け落ちて落下しないようにすることが要求される。
【０００３】
特許文献１には、腰ベルトに付けたカラビナに着脱できるハンマーが記載されている。特許文献１に記載のハンマーは、その頭部上面に、Ｕ字状の係合金具を設けて、係合金具と頭部との間に中空部を形成している。その中空部にカラビナを通すことで、ハンマーがカラビナから落下しないようにしている。
【先行技術文献】
【特許文献】
【０００４】
【特許文献１】特開２０１７−１７０５７２号公報
【発明の概要】
【発明が解決しようとする課題】
【０００５】
特許文献１に記載のハンマーは、カラビナの開閉部を押して開け、その状態で、中空部にカラビナを通している。この場合において、ハンマーの頭部がカラビナと干渉し、作業者は、ハンマーの中空部にカラビナをスムーズに通せないことがある。不安定な場所での作業を行う場合、ハンマーをカラビナに装着するのに手間取ると、安全性の低下が懸念される。
【０００６】
以下に、特許文献１に記載の従来のハンマーではカラビナへの装着に手間取り、安全性が低下するおそれがあることを説明する。
【０００７】
図１０は、従来のハンマー５１をカラビナ２０１に装着する際の遷移図である。ハンマー５１は、後に詳述する足場ハンマー１（図１等参照）と略同じ構成であって、柄５２の先端部に頭部５３が設けられている。頭部５３には、係合金具５４が設けられている。係合金具５４は、頭部５３との間に中空部５４Ａを形成し、頭部５３の幅方向（後述の第２方向）における中心に設置されている。
【０００８】
カラビナ２０１は、鉤形状のフック２０１Ａと開閉ゲート２０１Ｂとから構成される。開閉ゲート２０１Ｂは、フック２０１Ａの開放された一部を閉止するよう設けられている。開閉ゲート２０１Ｂは、外側から内側へ外力が加えられると、内側へ回動してフック２０１Ａの一部を開放し、外力がなくなると元の位置に戻り、フック２０１Ａの開放された一部を閉止する。
【０００９】
カラビナ２０１へハンマー５１を装着する際、係合金具５４で開閉ゲート２０１Ｂを押す（図１０（Ａ））。このとき、柄５２の延伸方向が鉛直方向に対して傾斜させないと、頭部５３とカラビナ２０１とが干渉してしまう。係合金具５４で開閉ゲート２０１Ｂを押すと、開閉ゲート２０１Ｂは内側へ回動し、フック２０１Ａの一部が開放される。その解放部分から係合金具５４をフック２０１Ａの内側へ移動させる（図１０（Ｂ））。これにより、フック２０１Ａが係合金具５４の中空部５４Ａに挿入されるようになる。このとき、ハンマー５１を、水平方向近くまで傾斜させないと、フック２０１Ａの一部が、頭部５３と干渉してしまう。
【００１０】
係合金具５４をフック２０１Ａの内部に挿入して、ハンマー５１をフック２０１Ａに沿って下方に移動させると、係合金具５４は、フック２０１Ａで支持された状態となる。これにより、ハンマー５１はカラビナ２０１に吊り下げられる（図１０（Ｃ））。
【００１１】
このように、従来のハンマー５１の場合、カラビナ２０１と干渉しないようにカラビナ２０１へ装着しようとすると、ハンマー５１を水平方向近くまで傾斜させる必要がある。この場合、不安定な場所で作業する作業者にとっては、ハンマー５１のカラビナ２０１への装着に手間取る場合があり、安全性が低下するおそれがある。
【００１２】
そこで、本発明は、作業者が装着する吊り下げ部に引っ掛け易い足場ハンマーを提供することを目的とする。
【課題を解決するための手段】
【００１３】
上記目的を達成するためなされた本発明は、柄の先端部に頭部が設けられ、前記頭部に設けられた引っ掛け部を作業者が装着する吊り下げ部に引っ掛けることで、前記吊り下げ部に吊り下げることができる足場ハンマーであって、前記引っ掛け部は、前記柄の延伸方向において前記頭部の前記柄と反対側の位置に、前記頭部の殴打面に直交する第１方向に沿って設けられ、前記柄の延伸方向に沿って前記頭部から突出して、前記頭部の周方向に貫通する開口を前記頭部とともに形成し、前記延伸方向から視て、前記第１方向および前記延伸方向に直交する第２方向における前記頭部の中心よりも外側に設置されている。
【発明の効果】
【００１４】
この構成によれば、吊り下げ部に引っ掛ける引っ掛け部を、中心より外側にずらして頭部に設けることで、吊り下げ部に引っ掛ける際に、吊り下げ部と頭部との干渉を避けることができる。その結果、足場ハンマーの吊り下げ部への装着をスムーズに行うことができ、装着時の安全性の低下を抑制できる。
【図面の簡単な説明】
【００１５】
【図１】図１は、実施形態の足場ハンマーの斜視図である。
【図２】図２は、足場ハンマーの側面図である。
【図３】図３は、足場ハンマーの正面図である。
【図４】図４は、足場ハンマーの平面図である。
【図５】図５は、不使用時に足場ハンマーを吊り下げ部に吊り下げた状態を示す図である。
【図６】図６は、引っ掛け部の位置を説明するための図である。
【図７】図７は、吊り下げ部に足場ハンマーを装着する際の遷移図である。
【図８】図８は、別形状の引っ掛け部を備える足場ハンマーを示す図である。
【図９】図９は、移動防止部を備えた足場ハンマーを示す図である。
【図１０】図１０は、従来の足場ハンマーを吊り下げ部に装着する際の遷移図である。
【発明を実施するための形態】
【００１６】
図１は、本実施形態の足場ハンマー１の斜視図である。図２は、足場ハンマー１の側面図である。図３は、足場ハンマー１の正面図である。図４は、足場ハンマー１の平面図である。図５は、不使用時に足場ハンマー１を吊り下げ部１０１に吊り下げた状態を示す図である。吊り下げ部１０１は、図１０で説明したカラビナ２０１と同じ構成であり、例えば、作業者１００が装着する腰バンドに固定される。
【００１７】
足場ハンマー１は、柄２と、頭部３と、引っ掛け部４とを備えている。
【００１８】
柄２は、作業者１００が把持するための、一方向に細長い金属製部材である。以下では、柄２が延びる方向を延伸方向と言う。柄２の一端部には、グリップ２１が設けられている。グリップ２１は、例えば合成ゴムからなり、足場ハンマー１による殴打時に柄２で生じる振動を吸収する。
【００１９】
頭部３は柄２の先端部に設けられている。柄２と頭部３とは、溶接により連結されてもよいし、ナットなどによるねじ止めにより連結されてもよい。頭部３は、一方向に延伸した直方体形状であって、各角部が面取りされている。以下では、頭部３が延伸する方向を、第１方向と言う。この第１方向に直交する頭部３の面は、各足場材を連結する連結部材を殴打するための殴打面３４および殴打面３５である。頭部３の周方向であって、第１方向および延伸方向に直交する方向を、第２方向と言う。
【００２０】
頭部３は、第１方向と延伸方向とが直交する状態で、柄２の先端部に設けられている。以下では、柄２が連結している側の頭部３の面を、第１面３１と言う。この第１面３１と反対側の面を、第２面３２と言う。さらに、第２方向に第１面３１および第２面３２と隣接する面を、第３面３３と言う。なお、直方体形状には、各面が平面状である形状に限らず、例えば、第１面３１および第２面３２の第１方向における中央部が外側に湾曲した形状も含む。
【００２１】
引っ掛け部４は、延伸方向に沿って頭部３の第２面３２から突出した状態で、第１方向に沿って頭部３に設けられている。詳しくは、引っ掛け部４は、金属棒（棒状の金属製部材）がＵ字型に折り曲げられてなる。頭部３には、第２面３２から第１面３１へ延伸方向に沿って貫通する貫通孔３Ａおよび貫通孔３Ｂが形成されている。貫通孔３Ａ、３Ｂは、第１方向に並んでいる。引っ掛け部４は、その先端部が第２面３２側から貫通孔３Ａ、３Ｂへ挿入されている。引っ掛け部４の先端部（Ｕ字型の金属製部材の両端部）は第１面３１から突出し、その突出部分には、ねじ溝が形成されている。引っ掛け部４の先端部にはナット３６、３７が締結されている。これにより、引っ掛け部４は頭部３に固定されている。
【００２２】
上記のように頭部３に固定された引っ掛け部４は、第２方向に貫通する開口４Ａを、頭部３の第２面３２とともに形成している。作業者１００は、この開口４Ａに自身が装着する吊り下げ部１０１を通すことで、図５に示すように、足場ハンマー１を吊り下げ部１０１に吊り下げできるようになっている。
【００２３】
また、引っ掛け部４は、延伸方向から視たときに、第２方向における頭部３の中心よりも外側に設置されている。図６は、引っ掛け部４の位置を説明するための図である。図６では、第１方向および延伸方向それぞれから視た頭部３および引っ掛け部４を示す。図６の一点鎖線は、第２方向における頭部３の中心線である。図６に示すように、引っ掛け部４は、この中心線より第３面３３側に近い位置に設置されている。
【００２４】
頭部３の第２面３２と、第３面３３との角部には、切欠き部５が形成されている。切欠き部５は、延伸方向において開口４Ａと重なる位置から、第２方向に沿って外側へ延びて形成され、頭部３の側面である第３面３３まで達している。切欠き部５は、図３に示すように、第１方向における中央部が湾曲した形状である。後述するが、切欠き部５は、吊り下げ部１０１への装着時に、吊り下げ部１０１と頭部３との干渉が抑制できる程度の大きさ、形状であればよい。例えば、第１方向から視た切欠き部５の断面形状は、Ｌ字型であってもよいし、Ｒ形状であってもよい。
【００２５】
上記のように構成された足場ハンマー１は、図１０で説明した従来のハンマーを吊り下げ部１０１へ装着する場合と比べて、吊り下げ部１０１への装着が容易となる。以下、本実施形態の足場ハンマー１の吊り下げ部１０１への装着方法を説明する。
【００２６】
図７は、吊り下げ部１０１に足場ハンマー１を装着する際の遷移図である。図７では、足場ハンマー１を断面で表す。
【００２７】
吊り下げ部１０１へ足場ハンマー１を装着する際、足場ハンマー１の第３面３３を、吊り下げ部１０１側にして装着する。このとき、足場ハンマー１の延伸方向を、鉛直方向に対して殆ど傾斜させない状態で、引っ掛け部４で開閉ゲート１０１Ｂを押す（図７（Ａ））。引っ掛け部４が第２面３２における第３面３３側に寄せて設けられ、また、第２面３２および第３面３３に切欠き部５が設けられているため、足場ハンマー１を、鉛直方向に対して大きく傾斜させなくても、頭部３と、吊り下げ部１０１との干渉が抑制できる。
【００２８】
引っ掛け部４で開閉ゲート１０１Ｂを押すと、開閉ゲート１０１Ｂは内側へ回動し、フック１０１Ａの一部が開放される。その解放部分から引っ掛け部４をフック１０１Ａの内側へ移動させる（図７（Ｂ））。これにより、フック１０１Ａが引っ掛け部４の開口４Ａに挿入されるようになる。このとき、図７（Ｂ）に示すように、フック１０１Ａの一部は、頭部３に設けられた切欠き部５に入り込む。このため、フック１０１Ａの一部と、頭部３との干渉が抑制できる。
【００２９】
引っ掛け部４をフック１０１Ａの内部に挿入して、足場ハンマー１をフック１０１Ａに沿って下方に移動させると、引っ掛け部４は、フック１０１Ａで支持された状態となる。これにより、足場ハンマー１は吊り下げ部１０１に吊り下げられる（図７（Ｃ））。
【００３０】
このように、本実施形態の足場ハンマー１は、鉛直方向に対して大きく傾斜させなくても、吊り下げ部１０１と頭部３との干渉が抑制されるため、スムーズに吊り下げ部１０１へ装着することができる。これにより、不安定な場所で作業する場合であっても、足場ハンマー１の吊り下げ部１０１への装着に手間取って安全性が低下するおそれを抑制できる。
【００３１】
なお、引っ掛け部４の形状は、上述の実施形態に限定されない。図８は、別形状の引っ掛け部４を備える足場ハンマー１を示す図である。この例の引っ掛け部４は、棒状の金属製部材を、一部が開放された矩形状に折れ曲げられてなる。また、引っ掛け部４と頭部３とは、溶接部６により固定される。さらに、切欠き部５は、第１方向における中央部が角型に窪んだ形状である。
【００３２】
また、足場ハンマー１は、実施形態で説明した構成と、図８で説明した構成とを適宜組み合わせてもよい。吊り下げ部１０１は、図１０で説明したカラビナ２０１と同じ構成でなくてもよい。例えば、吊り下げ部１０１は、開閉ゲート１０１Ｂを有さず、フック１０１Ａのみを有する構成であってもよい。さらに、足場ハンマー１の頭部３は円柱形状であってもよいし、多角柱形状であってもよい。頭部３が多角柱形状である場合、第２面３２に隣合う面に切欠き部が設けられてもよいし、第２面３２に隣合う面と、さらに隣り合う面とに切欠き部が設けられてもよい。切欠き部の大きさは適宜変更可能である。
【００３３】
さらに、足場ハンマー１は、引っ掛け部４が、頭部３側へ移動して、開口４Ａの大きさが小さくならないように、移動防止部を備えていてもよい。図９は、移動防止部４１を備えた足場ハンマーを示す図である。図９では、頭部３は断面で示す。
【００３４】
移動防止部４１は、延伸方向において開口４Ａ側に突出する金属製部材である引っ掛け部４の一部が、扁平状に潰されて、第１方向に突出した突出部である。移動防止部４１は、貫通孔３Ａ、３Ｂよりも、径方向外側まで突出している。このため、引っ掛け部４の先端を、延伸方向において、柄２と反対側から貫通孔３Ａ、３Ｂへ挿入する際、移動防止部４１が貫通孔３Ａ、３Ｂの入口周囲で引っ掛かる。また、上記のように、引っ掛け部４の先端には、ナット３６、３７が締結されている。その結果、引っ掛け部４は、移動防止部４１と、ナット３６、３７とで頭部３を挟み込んだ状態で、固定される。
【００３５】
このように、引っ掛け部４は、移動防止部４１によって柄２側へ移動することが防止されるため、開口４Ａが小さくなり、足場ハンマー１を吊り下げ部１０１に吊り下げる際に、手間取ることを回避できる。また、引っ掛け部４を頭部３へ固定する際に、移動防止部４１により、頭部３に対する引っ掛け部４の位置合わせを容易にできるため、製造時の手間が煩雑となることを防止できる。さらに、移動防止部４１とナット３６、３７とで頭部３を挟み込むことで、引っ掛け部４が延伸方向にぐらつくことを防止できる。
【００３６】
なお、図９では、移動防止部４１は、開口４Ａ側に突出するよう形成されているが、例えば、第２方向（図４参照）に突出していてもよい。また、移動防止部４１は、引っ掛け部４の一部を潰して形成しているが、引っ掛け部４とは別部品、例えば、ナットで実現してもよいし、図８の溶接部６で実現してもよい。
【００３７】
また、足場ハンマー１は、頭部３とは反対側の柄２の先端部に、ナットを締結するレンチが装着された構成であってもよい。
【符号の説明】
【００３８】
１    足場ハンマー
２    柄
３    頭部
４    引っ掛け部
４Ａ  開口
５    切欠き部
３１  第１面
３２  第２面
３３  第３面
３４、３５  殴打面
３６、３７  ナット
４１  移動防止部
１０１  吊り下げ部
【図１】
2020151844.tif 000003
【図２】
2020151844.tif 000004
【図３】
2020151844.tif 000005
【図４】
2020151844.tif 000006
【図５】
2020151844.tif 000007
【図６】
2020151844.tif 000008
【図７】
2020151844.tif 000009
【図８】
2020151844.tif 000010
【図９】
2020151844.tif 000011
【図１０】
2020151844.tif 000012